(57)【要約】      （修正有）【課題】ボトムを合成樹脂材料で構成してその製作コストを安くしつつ、ボトムの通気性及び排水性を向上可能なベッドを提供する。【解決手段】合成樹脂製のボトム３を備えたベッドであって、ボトム３の上面部に左右方向へ延びる条溝１５を前後方向に間隔をあけて複数本設け、隣接する条溝１５間に左右方向に延びる支持部１６を設け、条溝１５の両端部に側方へ開口する側部開口部１５ａを設け、条溝１５の途中部にボトム３を貫通する底部開口部１５ｂを設け、条溝１５の底面に、底部開口部１５ｂへ向けて下り傾斜の傾斜面１５ｃを設けた。【選択図】図１
2015202298.tif 000002
【特許請求の範囲】
【請求項１】
合成樹脂製のボトムを備えたベッドであって、
前記ボトムの上面部に左右方向へ延びる条溝を前後方向に間隔をあけて複数本設け、
隣接する条溝間に左右方向に延びる支持部を設け、
前記条溝の両端部に側方へ開口する側部開口部を設け、
前記条溝の途中部にボトムを貫通する底部開口部を設け、
前記条溝の底面に、前記底部開口部へ向けて下り傾斜の傾斜面を設けた、
ことを特徴とするベッド。
【請求項２】
前記支持部をボトムの左右方向の全幅にわたって設けた請求項１記載のベッド。
【請求項３】
前記支持部の前後幅を上端側へ行くにしたがって小さくなるように構成した請求項１又は２記載のベッド。
【請求項４】
前記ボトムの左右方向の中央部に、隣接する支持部を連結する補強部を設け、前記底部開口部を補強部の両側に設けた請求項１〜３のいずれか１項記載のベッド。
【請求項５】
前記条溝及び支持部を少なくとも横臥姿勢でのベッド利用者の胴体部に対応するボトムの前後方向位置に設けた請求項１〜４のいずれか１項記載のベッド。
【請求項６】
前記条溝の幅及び条溝の深さを、前記ボトム上に載置したマットレスにより条溝が閉塞されない大きさに設定した請求項１〜５のいずれか１項記載のベッド。
【請求項７】
前記傾斜面の勾配を１°〜１０°に設定した請求項１〜６のいずれか１項記載のベッド。
【発明の詳細な説明】
【技術分野】
【０００１】
本発明は、介護用として好適に利用可能なベッドに関する。
【背景技術】
【０００２】
ベッドのボトム（底板）として、方形状の枠体に金属製の金網を張設してなるものが広く採用されているが、ボトムの製作コストを極力安くするため、合成樹脂材料でボトムを構成したものも提案されている。
【０００３】
例えば、特許文献１には、合成樹脂製の板状部材からなるボトム構成板を前後方向に間隔をあけて枠体上に複数個併設してなるボトムが提案されている。
【先行技術文献】
【特許文献】
【０００４】
【特許文献１】特開平１１−３１８６３６号公報
【発明の概要】
【発明が解決しようとする課題】
【０００５】
ところで、特許文献１記載のベッドでは、ボトム構成板に比較的大きな開口部を形成して、通気性を確保するように構成しているが、ベッド利用者の体重を支持するため、ボトムの投影面積がどうしても大きくなり、ボトムとマットレスとの接触面積が大きくなって、該接触面での通気性が低下し、カビや雑菌等が繁殖し易くなるという問題があった。特に、介護用ベッドとして利用する際には、ベッドで食事をするときに、ベッド上にお茶や水などを零してしまったり、ベッド利用者がベッド上で失禁したりすることも考えられ、排水性を十分に確保できないという問題があった。
【０００６】
本発明の目的は、ボトムを合成樹脂材料で構成してその製作コストを安くしつつ、ボトムの通気性及び排水性を向上可能なベッドを提供するものである。
【課題を解決するための手段】
【０００７】
本発明に係るベッドは、合成樹脂製のボトムを備えたベッドであって、前記ボトムの上面部に左右方向へ延びる条溝を前後方向に間隔をあけて複数本設け、隣接する条溝間に左右方向に延びる支持部を設け、前記条溝の両端部に側方へ開口する側部開口部を設け、前記条溝の途中部にボトムを貫通する底部開口部を設け、前記条溝の底面に、前記底部開口部へ向けて下り傾斜の傾斜面を設けたものである。
【０００８】
このベッドでは、ボトムの上側にマットレスなどの寝具を載置して使用することになるが、ボトムの上面部に左右方向へ延びる条溝を前後方向に間隔をあけて複数本設け、隣接する条溝間に左右方向に延びる支持部を設けているので、条溝を設けた位置においては、マットレスなどの寝具とボトムとの接触面積が少なくなり、接触面におけるカビや雑菌等の繁殖を防止できる。しかも、支持部によりボトムの強度剛性を向上できるので、合成樹脂材料でボトムを構成しつつ、該ボトムの通気性及び強度剛性を確保できる。また、条溝の両端部に側部開口部を形成し、条溝の途中部に底部開口部を形成しているので、ベッド利用者の体温により条溝内の空気が温められると、条溝内の空気が側部開口部から排出され、ボトム下方の空気が底部開口部から条溝内に導入されるという、空気の流れが形成されるので、温度及び湿度の高くなる条溝内の空気が入れ替えられて、マットレスの下面におけるカビや雑菌等の繁殖を効果的に防止できる。更に、ベッド上にお茶や水などの液体を零した場合でも、該液体はマットレス等の寝具を通過した後、条溝の傾斜面に沿って底部開口部からベッドの下側に円滑に排出されるので、マットレスなどの寝具とボトム間に該液体が滞留することによる、カビや雑菌等の繁殖を防止できる。
【０００９】
ここで、前記支持部をボトムの左右方向の全幅にわたって設けることが好ましい実施の形態である。支持部は、左右方向に間欠的に設けることも可能であるが、ボトムの強度剛性を向上するため、ボトムの左右方向の全幅にわたって設けることが好ましい。また、ボトムの左右方向の全幅よりも多少短尺に構成することも可能であるが、側部開口部を側方に確実に開口させるため、ボトムの左右方向の全幅にわたって設けることが好ましい。
【００１０】
前記支持部の前後幅を上端側へ行くにしたがって小さくなるように構成することが好ましい実施の形態である。支持部の前後幅は全高にわたって同じ幅に設定して、支持部の縦断面を長方形や正方形などの方形状に構成することも可能であるが、ボトムの上側に載置するマットレスなどの寝具と支持部との接触面積を極力小さくしつつ、ボトムの強度剛性を十分に確保するため、支持部の前後幅は上端側へ行くにしたがって小さくなるように構成することが好ましい。例えば支持部の縦断面を三角形状や等脚台形状や弾丸状に形成することができる。
【００１１】
前記ボトムの左右方向の中央部に、隣接する支持部を連結する補強部を設け、前記底部開口部を補強部の両側に設けることも好ましい実施の形態である。この場合には、補強部によりボトムの強度剛性、特にベッド利用者の体重を支持するための強度剛性を向上できるので好ましい。
【００１２】
前記条溝及び支持部を少なくとも横臥姿勢でのベッド利用者の胴体部に対応するボトムの前後方向位置に設けることも好ましい。マットレスなどの寝具とボトム間におけるカビや雑菌等の発生は、ベッド利用者から発散される汗により湿度が高くなるとともに、ベッド利用者の体温により温度が高くなることに起因するので、条溝及び支持部は、少なくとも横臥姿勢におけるベッド利用者の胴体部に対応する、ボトムの前後方向位置に設けることが好ましい。
【００１３】
前記条溝の幅及び深さを、前記ボトム上に載置したマットレスにより条溝が閉塞されない大きさに設定することも好ましい。このように構成することで、条溝内における通気性を確保して、マットレスにおけるカビや雑菌の繁殖を防止できるので好ましい。
【００１４】
前記傾斜面の勾配を１°〜１０°に設定することができる。傾斜面の勾配は１°未満の場合には、ベッドに零したお茶やお水などの液体を底部開口部へ円滑に案内できず、また１０°を超えると、ボトムの厚さが厚くなるので、１°〜１０°に設定することが好ましい。
【発明の効果】
【００１５】
本発明に係るベッドによれば、ボトムの上側にマットレスなどの寝具を載置して使用することになるが、ボトムの上面部に左右方向へ延びる条溝を前後方向に間隔をあけて複数本設け、隣接する条溝間に左右方向に延びる支持部を設けているので、条溝を設けた位置においては、マットレスなどの寝具とボトムとの接触面積が少なくなり、接触面におけるカビや雑菌等の繁殖を防止できる。しかも、支持部によりボトムの強度剛性を向上できるので、合成樹脂材料でボトムを構成しつつ、該ボトムの通気性及び強度剛性を確保できる。また、条溝の両端部に側部開口部を形成し、条溝の途中部に底部開口部を形成しているので、ベッド利用者の体温により条溝内の空気が温められると、条溝内の空気が側部開口部から排出され、ボトム下方の空気が底部開口部から条溝内に導入されるという、空気の流れが形成されるので、温度及び湿度の高くなる条溝内の空気が入れ替えられて、マットレスの下面におけるカビや雑菌等の繁殖を効果的に防止できる。更に、ベッド上にお茶やお水などの液体を零した場合でも、該液体はマットレス等の寝具を通過した後、条溝の傾斜面に沿って底部開口部からベッドの下側に円滑に排出されるので、マットレスなどの寝具とボトム間に該液体が滞留することによる、カビや雑菌等の繁殖を防止できる。
【図面の簡単な説明】
【００１６】
【図１】ベッドの斜視図
【図２】ボトムの平面図
【図３】マットレスを載せた状態での図２のIII-III線断面図
【図４】マットレスを載せた状態での図２のIV-IV線断面図
【図５】液体を零したときの排水経路を示す図３相当図
【図６】（ａ）〜（ｄ）は他の構成の支持部の断面図
【発明を実施するための形態】
【００１７】
以下、本発明の実施の形態について図面を参照しながら説明する。本発明は、添付図面に示された形態に限定されるものではなく、特許請求の範囲に記載の要件を満たす実施形態の全てを含むものである。また、本実施の形態では、ベッドの長手方向におけるフットボード側を後方、ヘッドボード側を前方と定義し、フットボード側からヘッドボード側を見たときを基準に左右を定義して説明する。
【００１８】
図１に示すようにベッド１は、支持フレーム２と、該支持フレーム２の上面側に載置した４枚のボトム構成板１１〜１４からなる合成樹脂製のボトム３とを備えている。また、ベッド１は、一般的な介助用のベッド１と同様に、使用者の頭側にヘッドボード４、脚側にフットボード５を備えるとともに、ボトム３を構成する４枚のボトム構成板１１〜１４を独立に或いは任意の組み合わせで連動させて昇降する昇降機構（図示略）を備え、４枚のボトム構成板１１〜１４を昇降させて、高さ調整、背上げ調整、脚上げ調整など、利用者の使用形態に応じた適宜の姿勢にボトム３の姿勢を調整できるように構成されている。なお、昇降機構としては、周知の構成のものを採用できる。
【００１９】
ボトム３は、図１〜図４に示すように、一般的な利用者の身体の各部位のサイズに合わせた大きさに構成され、上半身に対応するボトム構成板としての背ボトム１１、臀部に対応するボトム構成板としての座ボトム１２、大腿部に対応するボトム構成板としての膝ボトム１３、膝から下側の脚に対応するボトム構成板としての脚ボトム１４の４枚のボトム構成板１１〜１４で構成されている。ただし、ボトム構成板１１〜１４の大きさや枚数は、任意に設定可能である。
【００２０】
ボトム３を構成する合成樹脂材料としては、利用者の体重を支持し得る強度剛性を有するものであれば任意の素材からなる合成樹脂材料を採用できる。特に、安価に入手できることから、塩化ビニル樹脂やＡＢＳ樹脂、ポリエチレン、ポリプロピレンなどの合成樹脂材料を好適に採用できる。また、これらの合成樹脂材料と、ガラス繊維や炭素繊維などの繊維材料との複合材料を採用することも好ましい。
【００２１】
背ボトム１１の前端部には平坦部１１ａが形成され、背ボトム１１の平坦部１１ａよりも後方側部分の上面部には、左右方向に延びる８本の条溝１５がボトム３の全幅にわたって前後方向に間隔をあけて設けられ、隣接する条溝１５間には左右方向に延びる７本の縦リブ状の支持部１６がボトム３の全幅にわたって設けられている。座ボトム１２及び膝ボトム１３には左右方向へ延びる２本の条溝１５がボトム３の全幅にわたって前後方向に間隔をあけてそれぞれ設けられ、隣接する条溝１５間には左右方向に延びる１本の縦リブ状の支持部１６がボトム３の全幅にわたって設けられている。
【００２２】
条溝１５及び支持部１６は、ボトム３の上面部の全体に設けることも可能であるが、少なくともボトム３のうちのベッド利用者の体温及び発汗により温度及び湿度が高くなる部分、即ち横臥姿勢でのベッド利用者の胴体部に対応するボトム３の前後方向位置に設けることが好ましく、このように構成することで、温度及び湿度の上昇によるカビや雑菌の繁殖を防止できる。本実施の形態では、条溝１５及び支持部１６を背ボトム１１と座ボトム１２と膝ボトム１３とに形成し、フットボード５を前後方向にスライド可能に構成するため、脚ボトム１４には条溝１５及び支持部１６を形成しないように構成した。
【００２３】
条溝１５の両端部にはボトム３上にマットレス６を載置した状態で側方へ開口する側部開口部１５ａが設けられ、ボトム３の左右方向の中央部には隣接する支持部１６を連結する補強部１７が設けられ、補強部１７の左右両側にはボトム３を貫通する左右１対の底部開口部１５ｂが設けられている。このように、ボトム３の左右方向の中央部に補強部１７を設けることで、ベッド利用者の支持強度が向上するように構成されている。
【００２４】
条溝１５の右部及び左部の底面には底部開口部１５ｂへ向けて下り傾斜の傾斜面１５ｃが設けられている。傾斜面１５ｃの勾配θは、１°未満の場合には、ベッド１に零したお茶やお水などの液体を底部開口部１５ｂへ円滑に案内できず、また１０°を超えると、ボトム３の厚さが厚くなるので、１°〜１０°、好ましくは２°〜４°に設定することが好ましい。
【００２５】
条溝１５及び支持部１６の本数は、任意の本数に設定可能である。条溝１５の溝幅Ｗ１及び深さｄは、ベッド１使用時に条溝１５がマットレス６により閉塞されない大きさになるような幅及び深さに設定されている。具体的には、条溝１５の溝幅Ｗ１は、３０ｍｍ〜７０ｍｍ、好ましくは４０ｍｍ〜６０ｍｍに設定することが好ましい。また、条溝１５の深さｄは１０ｍｍ〜４０ｍｍ、好ましくは１５ｍｍ〜２０ｍｍに設定することになる。なお、溝幅Ｗ１は条溝１５の全幅にわたって一様に設定したが、任意に設定可能で、例えば中央部側へ行くにしたがって幅広に構成したりしてもよい。
【００２６】
支持部１６の上端部は平坦部１１ａ及び脚ボトム１４の上面と略同じ高さに設定され、ボトム３上のマットレス６などの寝具やベッド利用者の荷重を支持部１６でバランス良く受け止めることができるように構成されている。支持部１６とマットレス６との接触幅Ｗ２は、任意に設定可能であるが、通気性を向上するため極力小さく設定することが好ましく、１０ｍｍ〜５０ｍｍ、好ましくは１０ｍｍ〜１５ｍｍに設定することが好ましい。また、支持部１６とマットレス６との接触幅Ｗ２を支持部１６の左右方向の全長にわたって一様に設定したが、例えば接触幅Ｗ２を左右方向の中央部側へ行くにしたがって幅狭に構成したりすることもできる。支持部１６の断面形状は、ボトム３の上側に載置するマットレス６と支持部１６との接触面積を小さくしつつ、ボトム３の強度剛性を高めるため、下半部が下側へ向けて開口する凹型状で、上半部が等脚台形状に形成され、上半部の前面側と後面側には斜面１６ａが形成されて、上端側へ行くにしたがって前後幅が小さくなるように構成されている。また、支持部１６の上面１６ｂは、マットレス６との接触面におけるカビや雑菌の繁殖を防止できる範囲で、前後方向に一定幅を有する左右方向に細長い平坦面で構成されている。なお、支持部１６の縦断面形状としては、マットレス６と支持部１６との接触面積を小さくしつつ、ボトム３の強度剛性を確保し得る断面形状であれば、任意の断面形状のものを採用することができ、例えば図６（ａ）〜（ｄ）に示す支持部１６Ａ〜１６Ｄのように、長方形状や等脚台形状や、頂部を円弧状に丸めた弾丸状や、頂部を三角形状に面取りした長方形状に形成したものを採用することも可能である。
【００２７】
支持部１６は、左右方向に間欠的に設けることも可能であるが、ボトム３の強度剛性を向上するため、ボトム３の左右方向の全幅にわたって設けることが好ましい。また、ボトム３の左右方向の全幅よりも多少短尺に構成することも可能であるが、側部開口部１５ａを側方に確実に開口させるため、ボトム３の左右方向の全幅にわたって設けることが好ましい。
【００２８】
このベッド１では、ボトム３の上側にマットレス６などの寝具を載置して使用することになるが、ボトム３の上面部に左右方向へ延びる条溝１５を前後方向に間隔をあけて複数本設け、隣接する条溝１５間に左右方向に延びる支持部１６を設けているので、条溝１５を設けた位置においては、マットレス６などの寝具とボトム３との接触面積が少なくなり、接触面におけるカビや雑菌等の繁殖を防止できる。しかも、支持部１６によりボトム３の強度剛性を向上できるので、合成樹脂材料でボトム３を構成しつつ、該ボトム３の通気性及び強度剛性を確保できる。また、条溝１５の両端部に側部開口部１５ａを形成し、条溝１５の途中部に底部開口部１５ｂを形成しているので、ベッド利用者の体温により条溝１５内の空気が温められると、図３に矢印Ａで示すように、条溝１５内の空気が側部開口部１５ａから排出され、ボトム３下方の空気が底部開口部１５ｂから条溝１５内に導入されるという、空気の流れが形成されるので、温度及び湿度の高くなる条溝１５内の空気が入れ替えられて、マットレス６の下面におけるカビや雑菌等の繁殖を効果的に防止できる。更に、ベッド１上にお茶やお水などの液体を零した場合でも、図５に矢印Ｂで示すように、該液体はマットレス６等の寝具を通過した後、条溝１５の傾斜面１５ｃに沿って底部開口部１５ｂからベッド１の下側に円滑に排出されるので、マットレス６などの寝具とボトム３間に該液体が滞留することによる、カビや雑菌等の繁殖を防止できる。
【００２９】
以上、本発明の実施形態について説明したが、本発明は前述した実施形態に何ら限定されるものではなく、本発明の要旨を逸脱しない範囲においてその構成を変更し得ることは勿論である。
【符号の説明】
【００３０】
１      ベッド          ２      支持フレーム
３      ボトム          ４      ヘッドボード
５      フットボード    ６      マットレス
１１    背ボトム        １１ａ  平坦部
１２    座ボトム        １３    膝ボトム
１４    脚ボトム        １５    条溝
１５ａ  側部開口部      １５ｂ  底部開口部
１５ｃ  傾斜面          １６    支持部
１６ａ  斜面            １６ｂ  上面
１６Ａ  支持部          １６Ｂ  支持部
１６Ｃ  支持部          １６Ｄ  支持部
１７    補強部
【図１】
2015202298.tif 000003
【図２】
2015202298.tif 000004
【図３】
2015202298.tif 000005
【図４】
2015202298.tif 000006
【図５】
2015202298.tif 000007
【図６】
2015202298.tif 000008